(57)【要約】【課題】一方の乗降口と他方の乗降口との間で踏板の速度が途中で変化するために踏板の走行速度に応じた複数の移動手摺を持ち替えながら乗る可変速式マンコンベアで移動している乗客に、移動手摺を持ち替える必要があることを感覚的に伝える。【解決手段】走行速度が互いに異なる隣接した移動手摺の一方と他方の間に形成されたＶ形状の空域近傍の移動手摺持ち替え部に、走行速度が互いに異なる隣接した移動手摺を持ち替えることを乗客の感覚により伝える感覚伝達手段４ａを設ける。【選択図】  図２
2004352424.tif 000002
【特許請求の範囲】
【請求項１】
一方の乗降口と他方の乗降口との間で踏板の走行速度が途中で変化し、その踏板の走行速度に対応した複数の移動手摺が欄干の上部に連なって配置された可変速式マンコンベアにおいて、走行速度が互いに異なる隣接した前記移動手摺の一方と他方の間に形成されたＶ形状の空域近傍の移動手摺持ち替え部に、走行速度が互いに異なる隣接した前記移動手摺を持ち替えることを乗客の感覚により伝える感覚伝達手段を設けたことを特徴とする可変速式マンコンベア。
【請求項２】
前記感覚伝達手段は、乗客の体感により伝える体感伝達手段であることを特徴とする請求項１記載の可変速式マンコンベア。
【請求項３】
前記体感伝達手段は、前記移動手摺の走行方向が上方又は下方に変化することを特徴とする請求項２記載の可変速式マンコンベア。
【請求項４】
前記体感伝達手段は、前記移動手摺の走行方向が外側又は内側に変化することを特徴とする請求項２記載の可変速式マンコンベア。
【請求項５】
前記体感伝達手段は、前記移動手摺の下部に備えられたローラーにより生じる前記移動手摺の上下動であることを特徴とする請求項２記載の可変速式マンコンベア。
【請求項６】
前記体感伝達手段は、前記移動手摺の下部に備えられた振動子により生じる前記移動手摺の振動であることを特徴とする請求項２記載の可変速式マンコンベア。
【請求項７】
前記感覚伝達手段は、警告表示であることを特徴とする請求項１記載の可変速式マンコンベア。
【請求項８】
前記警告表示は、周囲とは異なる色鮮やかな目立った色の線が引かれていることを特徴とする請求項７記載の可変速式マンコンベア。
【請求項９】
前記警告表示は、周囲とは異なる色鮮やかな目立った色で着色されていることを特徴とする請求項７記載の可変速式マンコンベア。
【請求項１０】
前記警告表示は、注意標示部であることを特徴とする請求項７記載の可変速式マンコンベア。
【請求項１１】
前記感覚伝達手段は、走行速度が互いに異なる隣接した前記移動手摺の色彩が互いに異なることを特徴とした請求項１記載の可変速式マンコンベア。
【請求項１２】
前記感覚伝達手段は、警告光を発する照明装置であることを特徴とする請求項１記載の可変速式マンコンベア。
【請求項１３】
前記感覚伝達手段は、警告音を発する音声装置であることを特徴とする請求項１記載の可変速式マンコンベア。
【発明の詳細な説明】
【０００１】
【発明の属する技術分野】
この発明は、複数の移動手摺が配設され、乗客がその移動手摺を持ち替えながら移動する可変速式マンコンベアに関するものである。
【０００２】
【従来の技術】
一方の乗降口と他方の乗降口との間で踏板の速度が途中で変化する従来の可変速式マンコンベアは、高速域の走行速度が低速域の走行速度の２．５倍程度となるため、踏板の走行速度に応じた走行速度の異なる複数の移動手摺が配設されている。これらの移動手摺は無端状に形成されて連続的に循環しているため、走行速度の異なる移動手摺の間には、略Ｖ形状の空域が形成されている。そこで、移動手摺に連続性を持たせるために走行速度の異なる移動手摺の間に固定手摺を設置しているものもあるが、移動手摺は常時回転しているため、移動手摺と固定手摺との隣接面には若干の隙間が形成されている。そのため、互いに隣接する移動手摺と固定手摺との対峙する面に互いに嵌合する凹凸を設けるとともに、固定手摺にブラシコムを設けて移動手摺との間の隙間を覆って遮蔽するものがある。（特許文献１参照）また、複数の移動手摺が配設されている可変速度式のマンコンベアとは別に、踏板の走行方向が踏板を複数水平に連ねて水平方向に走行する水平路と傾斜路の一方から他方へ変化する前の乗客に対して、踏板の走行方向の変化を乗客に体感的に伝える手段を設けた乗客コンベアもある。（特許文献２参照）
【０００３】
【特許文献１】
特開平８−２０８１６９号公報
【特許文献２】
特公平８−１８７８０号公報
【０００４】
【課題が解決しようとする課題】
特許文献１記載の可変速式マンコンベアでは、乗客が移動手摺の持ち替え部に気づかずそのまま移動手摺を持ちつづけた場合、固定手摺に乗客の手が接触することを防止することはできず、乗客が移動手摺の持ち替え部に気づいても着衣類や手荷物などが隙間に巻き込まれたりすることを完全に防止することはできなかった。また、特許文献２記載の乗客コンベアは、踏板を複数水平に連ねて水平方向に走行する水平路と傾斜路の一方から他方へ走行方向が変化する際に、乗客に走行方向が変化することを知らせる、又は乗客の動きを制止する、又は乗客が踏板の正常な位置に乗ることができる乗客コンベアに関するものであり、踏板の走行速度に応じた走行速度の異なる複数の移動手摺が配設され、乗客がその移動手摺を持ち替えながら乗る可変速式マンコンベアに関するものではない。
【０００５】
この発明は上述のような課題を解決するためになされたもので、その目的は踏板の走行速度に応じた複数の移動手摺が配設され、その移動手摺を持ち替えながら乗る可変速式マンコンベアで移動している乗客に、移動手摺の持ち替え部が近いことを感覚的に伝える手段を備えた可変速式マンコンベアを提供することである。
【０００６】
【課題を解決するための手段】
この発明に係る可変速式マンコンベアは、走行速度が互いに異なる隣接した移動手摺の一方と他方の間に形成されたＶ形状の空域近傍の移動手摺持ち替え部に、走行速度が互いに異なる隣接した移動手摺を持ち替えることを乗客の感覚により伝える感覚伝達手段を設けたものである。
【０００７】
【発明の実施の形態】
実施の形態１．
図１は、この発明の実施例を示す可変速式マンコンベアの全体図で、同図（ａ）はその平面図、同図（ｂ）はその側面図である。図において、可変速式マンコンベアの踏板であるパレット１は主枠内を無端状に連結され循環しており、そのパレット１の両側に乗客を保護する欄干３が設けられ、その欄干３の上部には乗客の移動中の姿勢を補助する移動手摺２ａ及び２ｂが配置されている。この移動手摺２ａ及び２ｂは、それぞれ無端状に形成されて連続的に循環しているため、移動手摺２ａと２ｂとの間には略Ｖ形状の空域が形成されている。ここで、前記パレット１は、乗降口付近の区間Ａと中間部の区間Ｂとで走行速度が異なり、区間Ａでは低速で、区間Ｂでは高速で走行している。移動手摺２ａ及び２ｂはそれぞれパレット１に対応する速度で走行しているため、パレット１と同様に乗降口付近の区間Ａでは低速で、中間部の区間Ｂでは高速で走行している。このように構成された可変速式マンコンベアでは、移動手摺持ち替え部Ｃに差し掛かった乗客は移動手摺２ａから２ｂに、又は移動手摺２ｂから２ａに持ち替えることにより、パレット１の移動速度とほぼ同期して移動することが可能となる。
【０００８】
図２は、この発明の実施の形態１における図１（ｂ）の移動手摺持ち替え部Ｃの詳細図である。図において、乗客を保護する欄干３の上部に設けられた走行速度が互いに異なる隣接した移動手摺２ａ及び２ｂには、移動手摺２ａと２ｂとの間に形成された略Ｖ形状の空域から所定の距離離れたところに、パレット１と同方向に移動していた移動手摺２ａ及び２ｂの走行方向が急激に上方へと変化し、その後下方へと変化して前の高さに戻る走行方向変化部４ａが形成されている。
【０００９】
この発明の実施の形態１によれば、移動手摺２ａ又は２ｂを掴んだ乗客の手は、移動手摺２ａと２ｂとの間に形成された略Ｖ形状の空域に差し掛かる前に走行方向変化部４ａを通過し、この走行方向変化部４ａを通過する時に急激に上下方向へ移動する。この乗客の手の急激な上下方向の動きにより、移動手摺の持ち替え部Ｃに気づかずに移動手摺を掴み続けている乗客に、移動手摺を持ち替える必要があることを伝え、そのまま移動手摺を掴み続けて持ち替え損ねることを未然に防ぐことが可能となる。
【００１０】
実施の形態２
図３は、この発明の実施の形態２における図１（ｂ）の移動手摺持ち替え部Ｃを上方から見た詳細図である。図において、乗客を保護する欄干３の上部に設けられた走行速度が互いに異なる隣接した移動手摺２ａ及び２ｂには、移動手摺２ａと２ｂとの間に形成された略Ｖ形状の空域から所定の距離離れたところに、パレット１と同方向に移動していた移動手摺２ａ及び２ｂの走行方向が急激に外側へと変化する走行方向変化部４ｂが形成されている。
この発明の実施の形態２によれば、移動手摺２ａ又は２ｂを掴んだ乗客の手が、走行方向変化部４ｂを通過した時に急激に外側に移動することで、実施の形態１と同様の効果を得ることが可能となる。図３では移動手摺２ａ及び２ｂの走行方向が外側へと変化するが、内側へと変化する構成とした場合も、同様の効果を得ることができる。
【００１１】
実施の形態３
図４は、この発明の実施の形態３における図１（ｂ）の移動手摺持ち替え部Ｃの詳細図である。図において、走行速度が互いに異なる隣接した移動手摺２ａと２ｂとの間に形成された略Ｖ形状の空域から所定の距離離れた欄干３の上部には、１個又は複数個のローラー５が配置されている。このローラー５は、欄干３の上部に設けられた移動手摺２ａ及び２ｂの下面にその上部が接触することで回転している。
この発明の実施の形態３によれば、移動手摺２ａ又は２ｂを掴んだ乗客の手が、欄干３の上部に設けられたローラー５の上を通過した時に、乗客の掴んでいる移動手摺２ａ又は２ｂを介してこのローラー５を乗り越える感触が乗客の手に伝わることで、実施の形態１と同様の効果を得ることが可能となる。
【００１２】
実施の形態４
図５は、この発明の実施の形態４における図１（ｂ）の移動手摺持ち替え部Ｃの詳細図である。図において、走行速度が互いに異なる隣接した移動手摺２ａと２ｂとの間に形成された略Ｖ形状の空域から所定の距離離れた欄干３の上部には、振動子６が設けられており、その振動子６の上部に配置されている移動手摺２ａ及び２ｂの一定領域に振動を与えている。この振動子６は、乗客が移動手摺２ａと２ｂとの間に形成された略Ｖ形状の空域に向かって移動し、振動子６より所定の距離離れた位置に達したことを検出すると振動を始め、乗客が略Ｖ形状の空域を通過後、自動的に動作を終了する構成となっている。
この発明の実施の形態４によれば、移動手摺２ａ又は２ｂを掴んだ乗客の手が、欄干３の上部に設けられた振動子６の上を通過した時に、振動子６からの振動が移動手摺２ａ及び２ｂを介して乗客の手に伝わることで、実施の形態１と同様の効果を得ることが可能となる。また、振動子６を停止させずに、移動手摺２ａ及び２ｂの一定領域に常に振動を与える構成としても同様の効果を得ることが可能である。
【００１３】
実施の形態５
図６は、この発明の実施の形態５における図１（ｂ）の移動手摺持ち替え部Ｃの詳細図で、（ａ）はその側面図、（ｂ）はその平面図である。図において、走行速度が互いに異なる隣接した移動手摺２ａと２ｂとの間に形成された略Ｖ形状の空域から所定の距離離れた欄干３の内側面には鉛直方向に、また欄干３の上面には移動手摺２ａ及び２ｂの長手方向に対して直角方向に、一定の幅を持った線７が周囲の色とは異なる色鮮やかで目立った黄色や赤色で引かれている。
この発明の実施の形態５によれば、移動手摺２ａ又は２ｂを掴んだ乗客の手が移動手摺２ａと２ｂとの間に形成された略Ｖ形状の空域に差し掛かる前に、色鮮やかで目立った黄色や赤色で引かれた線７に乗客が気づくことで、実施の形態１と同様の効果を得ることが可能となる。また、移動手摺持ち替え部Ｃ付近の建て屋の壁等に線７を引いても同様の効果を得ることができる。
【００１４】
実施の形態６
図７は、この発明の実施の形態６における図１（ｂ）の移動手摺持ち替え部Ｃの詳細図で、（ａ）はその側面図、（ｂ）はその平面図である。図において、欄干３の上面及び内側面には、走行速度が互いに異なる隣接した移動手摺２ａと２ｂとの間に形成された略Ｖ形状の空域側の端部から所定の距離離れたところまでの一定の領域８が、周囲と異なる色鮮やかで目立った黄色や赤色で着色されている。
この発明の実施の形態６によれば、移動手摺２ａ又は２ｂを掴んだ乗客の手が移動手摺２ａと２ｂとの間に形成された略Ｖ形状の空域に差し掛かる前に、色鮮やかで目立った黄色や赤色で着色された領域８に乗客が気づくことで、実施の形態１と同様の効果を得ることが可能となる。また、移動手摺持ち替え部Ｃ付近の建て屋の壁等を色鮮やかで目立った黄色や赤色で着色しても同様の効果を得ることができる。なお、実施の形態６では領域８を色鮮やかで目立った黄色や赤色で着色しているが、この領域８又は移動手摺持ち替え部Ｃ付近の建て屋の壁等に、周囲と異なる色鮮やかで目立った黄色や赤色の複数の線又は斜線を引いても同様の効果を得ることができる。
【００１５】
実施の形態７
図８は、この発明の実施の形態７における図１（ｂ）の手摺持ち替え部Ｃの詳細図で、（ａ）はその側面図、（ｂ）はその平面図である。図において、走行速度が互いに異なる隣接した移動手摺２ａと２ｂとの間に形成された略Ｖ形状の空域から所定の距離離れた欄干３の上面及び内側面には、注意標示部９が設けられている。
この発明の実施の形態７によれば、移動手摺２ａ又は２ｂを掴んだ乗客の手が移動手摺２ａと２ｂとの間に形成された略Ｖ形状の空域に差し掛かる前に、乗客が注意標示部９に気づくことで、実施の形態１と同様の効果を得ることが可能となる。また、移動手摺持ち替え部Ｃ付近の建て屋の壁等に注意標示部９を設けても同様の効果を得ることができる。
【００１６】
実施の形態８
図９は、この発明の実施の形態８における図１（ｂ）の手摺持ち替え部Ｃの詳細図である。図において、移動手摺２ｂは、走行速度が互いに異なる隣接した移動手摺２ａと２ｂとの間に形成された略Ｖ形状の空域を挟んで隣接する移動手摺２ａと異なる色鮮やかで目立った色をしている。
この発明の実施の形態８によれば、移動手摺２ａ又は２ｂを掴んだ乗客の手が移動手摺２ａと２ｂとの間に形成された略Ｖ形状の空域に差し掛かる前に、乗客が自分の掴んでいる移動手摺とは異なる色鮮やかで目立った色をした移動手摺に気づくことで、実施の形態１と同様の効果を得ることが可能となる。
【００１７】
実施の形態９
図１０は、この発明の実施の形態９における図１（ｂ）の移動手摺持ち替え部Ｃの詳細図である。図において、走行速度が互いに異なる隣接した移動手摺２ａと２ｂとの間に形成された略Ｖ形状の空域から所定の距離離れた欄干３の内側面には、照明装置１０ａが設けられている。この照明装置１０ａは、移動手摺持ち替え部Ｃ付近より明るく照らすことができる光、又は黄色や赤色等の着色光、又は点滅光を放って乗客に対して警告を与えるものである。
この発明の実施の形態９によれば、移動手摺２ａ又は２ｂを掴んだ乗客の手が移動手摺２ａと２ｂとの間に形成された略Ｖ形状の空域に差し掛かる前に、乗客が照明装置１０ａによる警告光に気づくことで、実施の形態１と同様の効果を得ることが可能である。
【００１８】
実施の形態１０
図１１は、この発明の実施の形態１０における図１（ｂ）の移動手摺持ち替え部Ｃの詳細図である。図において、走行速度が互いに異なる隣接した移動手摺２ａと２ｂとの間に形成された略Ｖ形状の空域付近の建て屋の天井には、照明装置１０ｂが設けられている。この照明装置１０ｂは、手摺持ち替え部Ｃ付近より明るく照らすことができる光、又は黄色や赤色等の着色光、又は点滅光を放って乗客に対して警告を与えるものである。
この発明の実施の形態１０によれば、移動手摺２ａ又は２ｂを掴んだ乗客の手が、移動手摺２ａと２ｂとの間に形成された略Ｖ形状の空域に差し掛かる前に、乗客が照明装置１０ｂによる警告光に気づくことで、実施の形態１と同様の効果を得ることが可能である。また、照明装置１０ｂを移動手摺２ａと２ｂとの間に形成された略Ｖ形状の空域付近の建て屋の壁に設けても、同様の効果を得ることができる。
【００１９】
実施の形態１１
図１２は、この発明の実施の形態１１における図１（ｂ）の移動手摺持ち替え部Ｃの詳細図である。図において、走行速度が互いに異なる隣接した移動手摺２ａと２ｂとの間に形成された略Ｖ形状の空域から所定の距離離れた欄干３の内側面には、音声装置１１ａが設けられている。
この発明の実施の形態１１によれば、移動手摺２ａ又は２ｂを掴んだ乗客の手が、移動手摺２ａと２ｂとの間に形成された略Ｖ形状の空域に差し掛かる前に、乗客が音声装置１１ａからの音声案内又は効果音に気づくことで、実施の形態１と同様の効果を得ることが可能となる。
【００２０】
実施の形態１２
図１３は、この発明の実施の形態１２における図１（ｂ）の移動手摺持ち替え部Ｃの詳細図である。図において、走行速度が互いに異なる隣接した移動手摺２ａと２ｂとの間に形成された略Ｖ形状の空域付近の建て屋の天井には、音声装置１１ｂが設けられている。
この発明の実施の形態１２によれば、移動手摺２ａ又は２ｂを掴んだ乗客の手が移動手摺２ａと２ｂとの間に形成された略Ｖ形状の空域に差し掛かる前に、乗客が音声装置１１ｂからの音声案内又は効果音に気づくことで、実施の形態１と同様の効果を得ることが可能となる。
【００２１】
【発明の効果】
この発明は以上説明したように走行速度が互いに異なる隣接した移動手摺の一方と他方の間に形成されたＶ形状の空域近傍の移動手摺持ち替え部に、走行速度が互いに異なる隣接した移動手摺を持ち替えることを乗客の感覚により伝える感覚伝達手段を設ける構成としたので、移動手摺の持ち替え部に気づかずに移動手摺を掴み続けている乗客に、移動手摺を持ち替える必要があることを感覚的に伝え、そのまま移動手摺を掴み続けて持ち替え損ねることを未然に防ぐことができる。
【図面の簡単な説明】
【図１】この発明の実施例を示す可変速式マンコンベアの全体図で、（ａ）はその平面図、（ｂ）はその側面図である。
【図２】この発明の実施の形態１における図１（ｂ）の移動手摺持ち替え部Ｃの詳細図である。
【図３】この発明の実施の形態２における図１（ｂ）の移動手摺持ち替え部Ｃを上方から見た詳細図である。
【図４】この発明の実施の形態３における図１（ｂ）の移動手摺持ち替え部Ｃの詳細図である。
【図５】この発明の実施の形態４における図１（ｂ）の移動手摺持ち替え部Ｃの詳細図である。
【図６】この発明の実施の形態５における図１（ｂ）の移動手摺持ち替え部Ｃの詳細図で、（ａ）はその側面図、（ｂ）はその平面図である。
【図７】この発明の実施の形態６における図１（ｂ）の移動手摺持ち替え部Ｃの詳細図で、（ａ）はその側面図、（ｂ）はその平面図である。
【図８】この発明の実施の形態７における図１（ｂ）の移動手摺持ち替え部Ｃの詳細図で、（ａ）はその側面図、（ｂ）はその平面図である。
【図９】この発明の実施の形態８における図１（ｂ）の移動手摺持ち替え部Ｃの詳細図である。
【図１０】この発明の実施の形態９における図１（ｂ）の移動手摺持ち替え部Ｃの詳細図である。
【図１１】この発明の実施の形態１０における図１（ｂ）の移動手摺持ち替え部Ｃの詳細図である。
【図１２】この発明の実施の形態１１における図１（ｂ）の移動手摺持ち替え部Ｃの詳細図である。
【図１３】この発明の実施の形態１２における図１（ｂ）の移動手摺持ち替え部Ｃの詳細図である。
【符号の説明】
１  パレット
２ａ、２ｂ  移動手摺
３  欄干
４ａ、４ｂ  走行方向変化部
５  ローラー
６  振動子
７  線
８  領域
９  注意標示部
１０ａ、１０ｂ  照明装置
１１ａ、１１ｂ  音声装置
【図１】
2004352424.tif 000003
【図２】
2004352424.tif 000004
【図３】
2004352424.tif 000005
【図４】
2004352424.tif 000006
【図５】
2004352424.tif 000007
【図６】
2004352424.tif 000008
【図７】
2004352424.tif 000009
【図８】
2004352424.tif 000010
【図９】
2004352424.tif 000011
【図１０】
2004352424.tif 000012
【図１１】
2004352424.tif 000013
【図１２】
2004352424.tif 000014
【図１３】
2004352424.tif 000015